(57)【特許請求の範囲】
【請求項１】
魚釣りに用いられるルアーであって、
ルアー本体と、
前記ルアー本体に形成された、釣り糸を接続するための糸接続部と、
前記ルアー本体に形成された、釣り針を接続するための針接続部と、
水の抵抗を利用して移動するための翼と、
を備え、
前記糸接続部は、釣り糸を接続してぶら下げたときに前記ルアー本体の長手方向が水平になる位置に形成され、
前記針接続部は、前記ルアー本体の長手方向の一方の端部に形成され、
前記翼は、前記ルアー本体の重心位置と、前記針接続部との間の位置にのみ設置され、
前記糸接続部に釣り糸を接続して前記ルアーをつるしたときに、前記翼の表面が水平になるように前記翼が設置されたルアー。
【請求項２】
前記ルアー本体は、前記糸接続部に釣り糸を接続してぶら下げた状態で縦に平べったい形状を成し、
前記翼を構成する端辺のうち、前記針接続部側の端辺が前記ルアー本体の長手方向に対して垂直である請求項１に記載のルアー。
【請求項３】
前記ルアー本体の長手方向を水平にし、前記糸接続部が形成された側を上側、その反対側を下側としたときに、前記糸接続部と前記針接続部との間の部分のみの前記ルアー本体の重心位置、または、前記重心位置の上側、または、前記重心位置の下側に前記翼が設置されている請求項１または２に記載のルアー。
【請求項４】
前記翼が、前記ルアー本体の下側の端面に設置されている請求項３に記載のルアー。
【請求項５】
前記翼が、脱着可能である請求項１〜４のいずれか１項に記載のルアー。
【請求項６】
前記ルアー本体が、魚を模した形状である請求項１〜５のいずれか１項に記載のルアー。
【発明の詳細な説明】
【技術分野】
【０００１】
本発明は、釣り用のルアーに関する。
【背景技術】
【０００２】
従来、釣り用の道具の一つとして、ルアーが用いられてきた。ルアーには、様々な形状のものがあり、例えば、魚やタコ、イカ等の水生生物の形状を模したものがよく知られている。
【０００３】
このようなルアーとして特許文献１に開示されたルアーは、ヘッドとこのヘッドから後方へ延出する針を含み、この針に疑似餌を取付け可能とした釣用ルアーであって、前記ヘッドは、平面視にて前方が尖端状の概略三角形となるように左右に突出する羽根部と、底面の一部に形成された平坦部とを有し、前記針は、前記平坦部に対して所定角度傾斜して前記ヘッドから延出することを特徴としている。
これにより、特許文献１のルアーは、ジグに上下方向の動きを与えることで、取り付けるワームの形状に関わらず、ルアーが大きく左右に滑空することで、対象魚に対して極めて強いアピール効果を奏するとしている。
【０００４】
また、特許文献２に開示されたルアーは、仮想の垂直平面内において水平に延びる相対的に長い前後方向の寸法と、前記垂直平面に直交する水平面内に延びる相対的に短い幅方向の寸法とを有し、前記垂直平面に関し前記幅方向が実質的に左右対称に形成された柔軟弾性材料から前記長さ方向へ延びる胴部と尾部とを有し、前記胴部は使用状態において釣り糸の先端寄りに位置する胴部前端部と、該前端部の反対端となる胴部後端部とを有し、前記前後端部間では、前記胴部の周面から外方へ前記垂直平面に関して左右対称に少なくとも一対の第１の翼部が延出し、前記第1の翼部と前記胴部の後端部間では、前記胴部の周面から前記垂直平面内で垂直方向の第２の翼部が延出し、前記尾部は前記胴部の後端部から後方へ前記垂直平面内において弧を画いて延びているルアーにおいて前記尾部は、前記胴部に接続する基端部と後端部と中間部とを有し、前記胴部の長さの二分の一よりも長くて前記垂直平面内で下方へついで上方へ湾曲する薄いシート状に形成されるとともに、前記基端部から前記中間部へ次第に幅広く前記中間部から前記後端部へ次第に幅狭く形成されていることを特徴としている。
これにより、垂直方向の翼部と左右一対の水平方向の翼部とが胴部の中心線を軸とする自転を抑制するから、胴部は徒に回転することがなく、ルアーはリール操作に忠実に対応して泳ぐとしている。
【先行技術文献】
【特許文献】
【０００５】
【特許文献１】特開２０１３−２４３９８３号公報
【特許文献２】特許第３０２２３４８号公報
【発明の概要】
【発明が解決しようとする課題】
【０００６】
しかしながら、特許文献１及び特許文献２に記載されたような従来のルアーでは、ルアーの動きが不自然で、魚が実際に泳いでいるような動きでは無かった。また、ルアーを竿の小さな上下運動で動かすことができなかった。
【０００７】
本発明は、かかる実情に鑑み、竿の単純な上下運動のみで、まるで魚が実際に泳いでいるがごとく移動することができ、初心者でも扱いやすく、さらに餌釣り時、潮止まりで魚の食いが悪い状況下でも餌を生き餌のように泳がせて魚の食い気を誘うことができるルアーを提供しようとするものである。
【課題を解決するための手段】
【０００８】
上記各課題は、以下の発明で解決することができる。即ち、本発明のルアーは、魚釣りに用いられるルアーであって、ルアー本体と、前記ルアー本体に形成された、釣り糸を接続するための糸接続部と、前記ルアー本体に形成された、釣り針を接続するための針接続部と、水の抵抗を利用して移動するための翼と、を備え、前記糸接続部は、釣り糸を接続してぶら下げたときに前記ルアー本体の長手方向が水平になる位置に形成され、前記針接続部は、前記ルアー本体の長手方向の一方の端部に形成され、前記翼は、前記ルアー本体の重心位置と、前記針接続部との間の位置に設置されたことを特徴としている。
これにより、釣り糸を上下させることにより、ルアーをまるで魚が泳いでいるがごとく動かせることができる。
【０００９】
また、本発明のルアーは、前記糸接続部に釣り糸を接続して前記ルアーをつるしたときに、前記翼の表面が水平になるように前記翼が設置されていることを主要な特徴としている。
これにより、ルアーを前に進める推進力が損なわれることが無い。
【００１０】
更に、本発明のルアーは、前記ルアー本体の長手方向を水平にし、前記糸接続部が形成された側を上側、その反対側を下側としたときに、前記糸接続部と前記針接続部との間の部分のみの前記ルアー本体の重心位置、または、前記重心位置の上側、または、前記重心位置の下側に前記翼が設置されていることを主要な特徴としている。
これにより、釣り糸の上下動において、小さな力、少ない上下動のストロークでルアーを前進させることができる。
【００１１】
更にまた、本発明のルアーは、前記翼が、前記ルアー本体の下側の端面に設置されていることを主要な特徴としている。
これにより、ルアーが海底に載置される状態になったとき、翼により支えられるので、ルアーは、横に倒れることは無い。このため、横倒れのときに釣り糸が引かれればルアーは、曲がって進むので根掛かりする可能性が高くなるが、横倒れにならなければ真っ直ぐ進むので、根掛かりの可能性が小さくなる。
【００１２】
また、本発明のルアーは、前記翼が、脱着可能であることを主要な特徴としている。
これにより、ルアーに取り付けられる針や餌の重さに応じて適した大きさの翼を取り付けることができる。
【００１３】
更にまた、本発明のルアーは、前記ルアー本体が、魚を模した形状であることを主要な特徴としている。
これにより、ルアーを餌の魚と誤認させることがよりできるので、魚をより良く釣ることができる。
【発明の効果】
【００１４】
本発明によれば、竿の小さな上下運動のみで、まるで魚が実際に泳いでいるがごとく移動することができるルアーを提供することができる。
【図面の簡単な説明】
【００１５】
【図１】本発明に係るルアーの斜視図である。
【図２】翼を取り付けたルアー本体の（ａ）側面図と（ｂ）底面図である。
【図３Ａ】竿を上げることによりルアーにかかる力を示した説明図である。
【図３Ｂ】翼がルアー本体からはみ出して設置された場合のルアー本体の平面図である。
【図４】竿を下に降ろすことによりルアーにかかる力を示した説明図である。
【図５】翼の種々の形状を示した平面図である。
【図６】翼をルアー本体の上部に取り付けた場合の海底での姿勢を示す斜視図である。
【図７】ルアー本体の内部構造を示す側面図である。
【発明を実施するための形態】
【００１６】
以下、添付図面に従って本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。
【００１７】
＜構成＞
本発明の好適な実施形態について図面を参照して説明する。図１は、本発明に係るルアー１の斜視図である。図１（ａ）、（ｂ）に示すように、本発明に係るルアー１は、ルアー本体１０と、釣り糸を接続するための糸接続部１２と、針部１９を接続するための針接続部１４と、水の抵抗を利用して移動するための翼１６と、を主に備えて構成される。
【００１８】
また、実際の使用時においては、ルアー本体１０には、針部１９が取り付けられることになる。針部１９は、魚を引っかけるための針で構成されており、釣る対象の魚に応じて、様々な針（またはフック）で針部１９を構成することができる（本発明おいては、餌釣り用の針も、ルアー用のフックも総称して針という名称を使用する）。図１の（ａ）に示した例では、針部１９は、湾曲した二股の針１９ａで構成されており、図１の（ｂ）に示した例では、針部１９は、糸で接続された２本の針１９ｂ，１９ｂと、スプーン１９ｃと、玉状樹脂体で形成されたスペーサ１９ｄとで構成されている。
【００１９】
針接続部１４と、針部１９との接続部は、樹脂製のカバー１８で覆うこともできる。樹脂製のカバー１８で上記接続部を覆うことにより、針部１９のぐらつきを防ぐことができ、ぐらつきにより生じる釣り糸と針部１９の絡まり等を防止することができる。
【００２０】
ルアー本体１０は、様々な形状で形成することができるが、魚、エビ、イカ等の水生生物や、虫を模した形状にすることが好ましく、魚の形状を模して形成することが最も好ましい。ルアー本体１０は、生物を模した形状で無くても、魚を誘引し、魚を釣ることが可能であるが、生物を模した形状の方が、より魚を誘引して釣ることができ、生物の中でも魚を模した形状が最も魚を誘引して釣ることが可能となる。
【００２１】
また、ルアー本体１０は、上下動させたときに水の抵抗が少なくなる形であることが好ましい。ルアー本体１０が、上下動による水の抵抗が少ない形状であることにより、後述するルアー本体１０が水平に戻ろうとする力を利用して容易に水平状態を保つことができるからである。
【００２２】
このような形状として、図１に示すように、ルアー本体１０は、上方向の投影面積よりも横方向の投影面積の方が大きい形状とすることができる。これにより、後述する翼１６の働きでルアー１が移動する際、ルアー１を直線的に移動させるための飛行機の垂直翼のような効果を発揮させることができる。
【００２３】
また、ルアー本体１０を構成する材料としては、金属、樹脂等様々なものを使用することができるが、海水中でも腐食しにくく、比重の大きい材料が好ましい。このような材料としては、鉛、ステンレス、タングステン、或いは、比重の高い金属を樹脂でコートしたもの等が考えられるが、これらに限定されるものでは無く、様々な特性を有する材料を組み合わせて用いても良い。
【００２４】
糸接続部１２は、ルアー本体１０に形成された釣り糸を接続するための部分であり、アイと呼ばれる糸通しリングを用いて構成することができる。糸接続部１２は、釣り糸を接続してルアー本体１０をぶら下げたときルアー本体の長手方向が水平になる位置に形成される。
【００２５】
このような位置としては、ルアー本体１０の重心Ｇの真上の位置が考えられる。ルアー本体１０の重心Ｇの真上に糸接続部１２を形成することにより、糸接続部１２に釣り糸を取り付けてルアー本体１０をぶら下げると、釣り糸の延長先上に重心Ｇが来ることになる。よって、糸接続部１２と重心Ｇとを結ぶ直線がルアー本体１０の長手方向と垂直になる位置に糸接続部１２を形成することができる。
【００２６】
ここで、厳密には、糸接続部１２に釣り糸を取り付けてぶら下げたとき、ルアー本体１０に翼１６を取り付けた状態でルアー本体１０の長手方向が略水平になることが好ましく、ルアー本体１０に翼１６と針部１９とを取り付けた状態でルアー本体１０の長手方向が略水平になることがより好ましい。
【００２７】
しかしながら、ルアー本体１０は、鉛などの重い材料で作製するので重量が大きいのに対して、翼１６は軽い材料で作製するので重量は小さく、針部１９も重量は小さい。そのため、釣り糸でぶら下げたとき、ルアー本体１０の長手方向が水平になれば（以下、ルアー本体１０の長手方向が水平になることをルアー本体１０が水平になると称する）、ルアー本体１０に翼１６や針部１９を取り付けても、ルアー本体１０はほとんど水平な状態を維持し、ルアー本体１０に翼１６や針部１９を取り付けたことによる微小な傾きも、水平の範囲と考えることができる。
【００２８】
これは、別の言い方をすれば、ルアー本体１０に翼１６や針部１９を取り付けることによる重心Ｇの位置の変化はそれほど無いことになる。このように、重心Ｇの位置の変化が問題にならないようなルアー本体１０の重量と、それ以外の部分（翼１６及び／または針部１９）との重量比は、１０以上（ルアー本体重量／それ以外の部分の重量）であることが好ましく、２０以上であることがより好ましく、２５以上であることが最も好ましい。
【００２９】
翼１６は、軽く丈夫で海水により腐食されにくい材料で作製することができるが、金属や透明な合成樹脂を用いて作製することが好ましい。翼１６に透明な合成樹脂を用いることにより、翼１６の部分が魚に気付かれにくくなり、魚に違和感を感じさせにくくなる。このような合成樹脂として、ポリエチレンテレフタレート、塩化ビニル、ポリプロピレン、ポリスチレン、アクリル樹脂、ＡＳ樹脂、ＡＢＳ樹脂、ポリカーボネート、ポリ乳酸などを採用することができる。また、金属を用いる際は、薄いステンレス板か、薄いアルミ板を用いることが好ましいが、これらに限定されるものでは無い。
【００３０】
翼１６は、ルアー本体１０の重心位置Ｇと、針接続部１４との間の位置に設置される。これにより、糸接続部１２に取り付けた釣り糸を、竿を使って上下させることにより、ルアー１を前方に泳いでいるがごとくに移動させることができる。
【００３１】
また、翼１６は、ルアー本体１０の重心Ｇの位置よりも図面視において右半分（重心Ｇよりも魚形状の尾側半分）の重心Ｇｘ（以後、単に右半分の重心Ｇｘと称する場合がある）の位置にあることが好ましい。ここで翼１６が右半分の重心Ｇｘの位置にあるとは、ルアー本体１０を水平にした場合において、糸接続部１２のある側を上側、その反対側を下側としたとき、翼１６が、右半分の重心Ｇｘの位置、又は、重心Ｇｘの上側、又は重心Ｇｘの下側に設置されていることを示す。
【００３２】
ここで、図３Ａを参照して更に説明する。図３Ａは、竿を上げることによりルアー１にかかる力を示した説明図である。図３Ａにおいては、側面（釣り糸を引く方向とルアー本体１０の長手方向の両方に垂直な方向）からみた状態を示している。
【００３３】
図３Ａの（ａ）においては、記号３０で示すルアー本体１０（不図示）の長手方向は、水平状態、即ち、釣り糸３２により引っ張られる力の方向とは垂直となっている。このとき、翼１６の表面も水平になっていることが好ましい。翼１６の表面が水平で無い場合は、釣り糸３２を上げるときと降ろすときとで翼１６が水から受ける力が異なってくるので、前に進む推進力が損なわれるなどの問題が生じるからである。このように、翼１６の表面は、ルアー本体１０の長手方向と平行であることが好ましい。これにより、竿の上下運動により、ルアー１をより魚が泳いでいるがごとく前方に移動させることができる。
【００３４】
ここで、記号Ｇで示される位置はルアー本体１０の重心の位置を示し、記号Ｇｘで示される位置は右半分の重心の位置（ルアー本体１０の重心Ｇよりも魚形状の尾側半分の重心の位置）を示す。（ａ）に示すように、力Ｆｓで釣り糸３２を上に引いたとき、重心Ｇは上に移動するが、重心Ｇｘは翼１６が設置されているために翼１６が水の抵抗を受けて水から下向きの力Ｆｗを受ける。
【００３５】
このため、図面視右回転のモーメントが発生し、ルアー本体１０は傾くことになる。このモーメントにより傾いた状態を示すのが（ｂ）の図である。（ｂ）に示すように、釣り糸３２による力Ｆｓをルアー本体１０の長手方向とそれに垂直な方向とに分解すると、それぞれＦｓｘ、Ｆｓｙとなる。
【００３６】
また、水の抵抗による力Ｆｗを、ルアー本体１０の長手方向とそれに垂直な方向に分解すると、それぞれＦｗｘ，Ｆｗｙとなる。よって、これらの力から、ルアー本体１０の長手方向に働く力は、Ｆｓｘ＋Ｆｗｘとなる。ここでＦｓｘの方が、Ｆｗｘよりも大きい力なので、ルアー本体１０は、力Ｆｓｘの方向（ルアー本体１０の長手方向であって図面視左上方向）に移動することになる。
【００３７】
次に、翼１６を重心Ｇｘよりも重心Ｇに近い位置に取り付けた場合が、（ｃ）に示す図である。この図に示すように、翼１６が水の抵抗により受ける力Ｆｗを分解したＦｗｙ（この図では小さくなりすぎるので省略）と、釣り糸３２が引っ張られる力Ｆｓを分解した力Ｆｓｙとによって生じるモーメントは、翼１６の位置が重心Ｇ、即ち、釣り糸３２を取り付けた部分に近いために小さな力となる。このため、ルアー本体１０はあまり傾くことが無く、ルアー本体１０の長手方向に働く力Ｆｓｘも小さくなるため、ルアー本体１０は、ルアー本体１０の長手方向にあまり移動することができない。
【００３８】
次に、翼１６を重心Ｇｘよりもルアー本体１０の長手方向に、重心Ｇから離れる方向に移動させた位置に取り付けた場合が、（ｄ）に示す図である。この図に示すように、翼１６が水の抵抗により受ける力Ｆｗを分解したＦｗｙと、釣り糸３２が引っ張られる力Ｆｓを分解した力Ｆｓｙとによって生じるモーメントは、翼１６の位置が重心Ｇ、即ち、釣り糸３２を取り付けた部分から大きく離れているために大きな力となる。
【００３９】
このため、ルアー本体１０は大きく傾くことになるため、ルアー本体１０の長手方向に働く力Ｆｓｘは大きいが、ルアー本体１０は、上方向にばかり進み、水平方向にはあまり移動することができない。よって、例えば、図３Ｂに示すように、翼１６がルアー本体１０よりも重心Ｇから離れる方向に、はみ出て設置された場合は、ルアー本体１０が上方向に向くモーメントが更に大きくなるため、釣り糸３２を引くとルアー本体１０がほとんど真上を向いてしまい、水平方向にはほとんど移動しなくなってしまう。ここで、図３Ｂは、翼１６がルアー本体１０からはみ出して設置された場合のルアー本体１０の平面図である。
【００４０】
次に竿を下に降ることにより釣り糸３２を下に降ろした場合について図４を参照して説明する。図４は、竿を下に降ろすことによりルアー１にかかる力を示した説明図である。図３Ａと同様に図４においても、側面（釣り糸を引く方向とルアー本体１０の長手方向の両方に垂直な方向）からみた状態を示している。
【００４１】
図４の（ａ）においては、記号３０で示すルアー本体１０（不図示）の長手方向は、水平状態、即ち、釣り糸３２により引っ張られる力の方向とは垂直となっている。このとき、翼１６の表面も水平になっている。また、翼１６は、右半分の重心Ｇｘに設置されている。
【００４２】
この場合、重心Ｇには、重力Ｆｇがかかり、翼１６には水の抵抗の力Ｆ'ｗがかかる。このＦｇとＦ'ｗの力によりモーメントが発生し、ルアー本体１０は左に傾くことになる。このようにして左に傾いた状態を示すのが（ｂ）で示す図である。
【００４３】
（ｂ）に示すように重力による力Ｆｇをルアー本体１０の長手方向とそれに垂直な方向とに分解すると、それぞれＦｇｘ、Ｆｇｙとなる。また、水の抵抗による力Ｆ'ｗを、ルアー本体１０の長手方向とそれに垂直な方向に分解すると、それぞれＦ'ｗｘ，Ｆ'ｗｙとなる。よって、これらの力から、ルアー本体１０の長手方向に働く力は、Ｆｇｘ＋Ｆ'ｗｘとなる。ここでＦｇｘの方が、Ｆ'ｗｘよりも大きい力なので、ルアー本体１０は、力Ｆｇｘの方向（ルアー本体１０の長手方向であって図面視左下方向）に移動することになる。これは、釣り糸３２による力の向きと水の抵抗による力の向きとが逆向きになっただけで、理屈は同じである。
【００４４】
翼１６の位置が、図面視において右半分の重心Ｇｘよりも左側の場合（図３Ａの（ｃ）の場合）と、右側の場合（図３Ａの（ｄ）の場合）との場合も、図３Ａの（ｃ）の場合と、（ｄ）の場合において、釣り糸３２による力の向きと水の抵抗による力の向きとが逆向きになっただけで、理屈は同じであるので説明は省略する。
【００４５】
翼１６の位置が、重心Ｇの位置よりも図面視左側にある場合は、ルアー本体１０は、図面視右側、つまり、針部１９（図１参照）の取り付けられている方向に進むことになるので、翼１６の位置は、針部１９と糸接続部１２（重心Ｇの位置）との間に取り付けられることが必要である。
【００４６】
また、上記で説明したように、ルアー本体１０をその長手方向によりよく動かせるためには、翼１６の位置は、右半分の重心Ｇｘの位置にあることが好ましい。力を物体の重心の位置に作用させるとモーメントが発生すること無く、つまり物体を回転させること無く物体を動かすことができる。よって、翼１６が右半分の重心Ｇｘの位置にある場合は、翼１６が受けた力は、効率よくルアー本体１０の右半分を動かすことができる。
【００４７】
即ち、竿の上下運動の力を効率よくルアー本体１０の向きを変える力にすることができるので、竿の小さな上下運動により、ルアー本体１０を魚が泳いでいるがごとく動かすことができる。また、竿を動かさなくても、波の力のみでもルアー本体１０を魚が泳いでいるがごとく動かすことができるので、置き竿によって魚を釣ることも容易となる。
【００４８】
次に、図２を参照して説明する。図２は、翼１６を取り付けたルアー本体の（ａ）側面図と（ｂ）底面図である。前述したように、ルアー本体１０の長手方向での翼１６の位置は、ルアー本体１０の重心と針接続部１４との間であることが必要で、更に、ルアー本体１０の重心Ｇよりも針接続部１４側の範囲（図面視右半分）での重心Ｇｘの位置に設置されることが好ましい。
【００４９】
翼１６は、上下方向位置は、どこに取り付けても良いが、図２に示すようにルアー本体１０の底部（ルアー本体１０の下側端面）に取り付けることが好ましい。ここで上下方向位置とは、ルアー本体１０を釣り下げた状態での上下であり、糸接続部１２側が上で、その反対側が下とする。
【００５０】
（ｂ）に示すように、翼１６はルアー本体１０の底面にネジ２０等の脱着可能な手段で取り付けられることが好ましい。翼１６を脱着可能に取り付けることにより、針接続部１４に取り付ける針部１９の種類や、針部１９に取り付ける餌の種類による重さに応じて、表面積の異なる翼１６を取り付けることができる。
【００５１】
針接続部１４に取り付けられるものの重さが軽い場合は、翼１６も表面積が狭いものでも良いが、重いものを取り付けた場合は、重さに応じて表面積の広い翼１６を取り付けることにより、竿の上下によるルアー本体１０の移動を良好にすることができる。
【００５２】
また、翼１６をルアー本体１０の底部に取り付けた場合のメリットとして、以下のものがある。即ち、水中を滑空時、ルアー本体１０の重心Ｇが翼１６の上側にあるのでルアー本体１０が不安定になり、重心Ｇを中心に前後が微妙に左右に揺れながら滑空する。この時速く引き上げてやることによって、揺れた方向に急に方向転換させることができる。また、それとは別に速く引き上げると、ルアー本体１０は翼１６の抵抗で真上近くを向き、その後に竿を急に下げて糸の影響をなくしてやると前記と同じ理由で左右どちらかに大きく傾いて方向転換して滑空する。これらによってトリッキーな動きを演出できるというメリットがある。ここでトリッキーな動きとは、小魚が右往左往して逃げ惑うしぐさを表現した動きであり、捕食魚の食い気を誘う効果を有するものである。
【００５３】
さらに、海底にルアー本体１０が載置されたとき、翼１６が支えになるのでルアー本体１０が横倒しにならないというメリットもある。横倒しになった場合は、図６（翼１６をルアー本体１０の上部に取り付けた場合の海底での姿勢を示す斜視図）に示すように、竿を上下させたとき、横倒しになった方向（矢印６０で示す）に曲がって移動するので、海底中の何かに針部１９が絡まる可能性がある。
【００５４】
即ち、釣り人は、海底においてルアー本体１０がどちら向き横倒しになっているか分からないので、例えば、右側に岩場があるので避けようと思っても、どちらにルアー本体１０が曲がるか分からない場合は、対応が難しくなるのである。よって、翼１６は、載置したときに横倒しにならないように、ルアー本体１０の底部に取り付けられていることが好ましい。
【００５５】
次に翼１６の形状について図５を参照して説明する。図５は、翼１６の種々の形状を示した平面図である。図５に示されている矢印は、推進力の反力を示す。よって、この矢印と向きが反対の力が推進力となる。本発明者は、鋭意研究により、図５の（ａ）〜（ｄ）までの翼１６の形状について、以下のことを見いだした。
【００５６】
図５（ａ）に示すように、翼１６の後端が真っ直ぐ、即ち、ルアー本体１０の長手方向に垂直な場合は、竿を上下運動させたときのルアー本体１０の動きの直線性は、ルアー本体１０の形状に左右される。
【００５７】
前述したように、ルアー本体１０が縦に「平べったい」形状の場合は、飛行機の垂直翼の代わりをして直進性を得ることができる。翼１６がこのような形状のときは、ルアー本体１０の動きは、トリッキーなところもあり、弱った小魚のごとく動くので、魚を誘引する効果が高い。このような翼１６を使用した場合、ルアー本体１０は、竿の一定の上下運動により、或いは、一定の波の上下動により、海中において直進するが釣り糸で竿に接続されているため、ある半径で水中を、円を描いて進むことになる。そのときの進み方にトリッキーな動きを伴うことがある。
【００５８】
ここで、厳密には、竿の上下運動によって水中で動くのは、ルアー本体１０では無くルアー１（図１参照）と言う方が良いのであるが、結局同じことであるので、本発明では、水中でのルアー１の動きをルアー本体１０の動きと表現する。
【００５９】
図５（ｂ）に示すように、翼１６の後端が図面視斜め上を向いている場合、即ち、糸接続部１２側（ルアー本体１０の魚形状の頭側）に傾いている場合は、翼１６の後端から図面視斜め上に向かって推進力が働き、その分直進性に優れたが（ａ）の形状ほどの推進力は得られなかった。よって、サーフ（砂浜）等からのキャスティングに使用するには問題ないが、遊覧船で直下に沈めて使用する場合は、翼１６が（ａ）の形状の場合よりも、大きな円を描いて進んでゆくので、隣で釣りをしている人の仕掛けに絡むというデメリットがある。
【００６０】
図５（ｃ）に示すように、翼１６の後端が（図面視のように）極端に斜め上を向いている場合は、翼１６の後端から（ｂ）の翼１６よりも更に斜め上に向かって推進力が働くので、その分直進性には優れるが（ｂ）の翼１６よりもさらに推進力が減った。よって、竿を強く上下運動させないとルアー本体１０は前に進まなかった。
【００６１】
図５（ｄ）に示すように、翼１６の後端が内側に向いている場合は、直進性には優れたが、（ａ）の翼１６のほどの推進力は得られなかった。また、翼１６の後端が後方に長くなることで、魚はルアー１を咥えたときの翼１６による違和感のため直ぐにルアー１を吐き出したり、魚がルアー１を咥えたときの接触等により翼１６が壊されるという問題が生じた。
【００６２】
次に、図７を参照してルアー本体１０の内部構造の好適な実施形態について説明する。図７は、ルアー本体１０の内部構造を示す側面図である。図７に示すように、ルアー本体１０の内部には、ステンレス硬線７０が含まれている。ステンレス硬線７０は、ルアー本体１０の内部と外部とにかけて一筆書きのように曲がりくねって、針接続部１４を形成し、糸接続部１２を形成し、翼１６を設置するためのネジ２０を固定する台座７２を形成している。
【００６３】
これにより、一つの長いステンレス硬線７０で針接続部１４と、糸接続部１２と、ネジ２０を固定するための台座７２とが形成されているので、それぞれの部分を強固に形成することができる。
【００６４】
台座７２の部分については、ステンレス硬線７０を並列に２重または３重にすることによりネジ２０を食い込みやすく、強固に固定することができる。また、太いステンレス硬線７０を用いることによってもネジ２０を食い込みやすく、強固に固定することができる。
【００６５】
＜作動＞
本発明のルアー１の作動について説明する。図１を参照して、糸接続部１２に釣り糸を取り付けて使用する。針部１９にエビ等の餌を取り付けても良いし、取り付けなくても良い。ルアー１を海中に沈め竿を上下に振ることにより、釣り糸につながれた糸接続部１２に上下動の力が加わる。
【００６６】
糸接続部１２が上に引かれた場合は、その力と、翼１６が受ける水の抵抗の力とによって発生するモーメントによってルアー本体１０は上向きに傾くと同時に、上述したようにそれらの力の差し引きによりルアー本体１０の長手方向に進む力が加えられる（図３Ａ（ｂ）参照）。これらの力により、ルアー本体１０は、上に引き上げられつつ、長手方向に進む。
【００６７】
また、糸接続部１２に取り付けられた釣り糸が竿を降ろすことにより緩められた場合は、重力により、糸接続部１２の下にある重心Ｇに下向きの力が加わり、翼１６は水の抵抗の力を受ける。これらの力により発生するモーメントでルアー本体１０は下向きに傾くと同時に、これらの力の差し引きにより、ルアー本体１０には長手方向に進む力が加えられる（図４（ｂ）参照）。これらの力により、ルアー本体１０は、下に下がりつつ長手方向に進む。
【００６８】
竿を上下運動させることにより、ルアー本体１０は、長手方向に進んでゆくが、実験の結果では、長手方向に進みつつ、時々トリッキーな動きをするので、まるで小魚が実際に動いているように見える。更に、ルアー本体１０は釣り糸で竿につながれているので、竿方向に引っ張られる力が加わり、前に進む力との関係で、海中を、円を描いて動くことになる。
【００６９】
実際に実験したところ、ルアー本体１０は、翼１６のサイズ、形に応じた半径の円を描いて海中をぐるぐる回っていった。また、竿を上下に動かさず、置き竿をしても、波の力によりルアー本体１０は、動いていった。本発明を釣りに試したところ、同じ釣り船の他の人と比べて、常に、早く、沢山獲物をつり上げることができた。
【符号の説明】
【００７０】
１      ルアー
１０    ルアー本体
１２    糸接続部
１４    針接続部
１６    翼
１８    カバー
１９    針部
１９ａ  針
１９ｂ  針
１９ｃ  スプーン
１９ｄ  スペーサ
２０    ネジ
３２    釣り糸
７０    ステンレス硬線
７２    台座
【要約】
【課題】  竿の小さな上下運動のみで、まるで魚が実際に泳いでいるがごとく移動することができるルアーを提供する。
【解決手段】  魚釣りに用いられるルアーであって、ルアー本体と、前記ルアー本体に形成された、釣り糸を接続するための糸接続部と、前記ルアー本体に形成された、釣り針を接続するための針接続部と、水の抵抗を利用して移動するための翼と、を備え、前記糸接続部は、釣り糸を接続してぶら下げたときに前記ルアー本体の長手方向が水平になる位置に形成され、前記針接続部は、前記ルアー本体の長手方向の一方の端部に形成され、前記翼は、前記ルアー本体の重心位置と、前記針接続部との間の位置に設置されたルアー。
【選択図】図１【図１】
0005672404.tif 000002
【図２】
0005672404.tif 000003
【図３Ａ】
0005672404.tif 000004
【図３Ｂ】
0005672404.tif 000005
【図４】
0005672404.tif 000006
【図５】
0005672404.tif 000007
【図６】
0005672404.tif 000008
【図７】
0005672404.tif 000009